(57)【要約】      （修正有）【課題】本来の使用方法で脚立を使用するのみでなく、物の運搬にも適した脚立を提供する。【解決手段】運搬可能な脚立１は、脚部１００が、複数の踏板１０により平行に連結された一対の梯子体を、最上端の踏板１０ａにおける連結部２４において回動自在に連結し、開脚固定手段１４によって該最上端の踏板が一平面を成す連結平板１２となるように、該一対の梯子体を開脚固定可能な脚立であって、前記連結平板の上面の複数個所に車輪２０を立設自在に収納できる、倒立姿勢において運搬可能な脚立である。【選択図】図１
2010084453.tif 000002
【特許請求の範囲】
【請求項１】
脚部が、複数の踏板により平行に連結された一対の梯子体を、最上端の踏板における連結部において回動自在に連結し、開脚固定手段によって該最上端の踏板が一平面を成す連結平板となるように、該一対の梯子体を開脚固定可能な脚立であって、
前記連結平板の上面の複数個所に車輪を立設自在に収納し、該複数個所の車輪を立設した状態で、倒立姿勢において運搬可能な脚立。
【請求項２】
脚部が、複数の踏板により平行に連結された一対の梯子体を、最上端の踏板における連結部において回動自在に連結し、開脚固定手段によって該最上端の踏板が一平面を成す連結平板となるように、該一対の梯子体を開脚固定可能な脚立であって、
前記連結平板の上面の複数個所に車輪嵌合用穴部を設け、該複数個所に設けた車輪嵌合用穴部にそれぞれ車輪を嵌合した状態で、倒立姿勢において運搬可能な脚立。
【請求項３】
前記連結平板の上面および該上面から下方に接続する４側面の表面に、クッション性不織布を着脱自在に展着した、請求項１または２に記載の倒立姿勢において運搬可能な脚立。
【請求項４】
前記一対の梯子体の対向する少なくとも１以上の前記踏板同士を、固定手段により平板状に連結する運搬台を含む、請求項１乃至３のいずれか１項に記載の倒立姿勢において運搬可能な脚立。
【請求項５】
前記対向する梯子体の少なくとも一対の前記踏板同士が、該対向する梯子体の中央で折り畳み可能な平板状運搬台と一体に形成されている、請求項１乃至３のいずれか１項に記載の倒立姿勢において運搬可能な脚立。
【請求項６】
脚部が、複数の踏板により平行に連結された一対の梯子体を、最上端の踏板における連結部において回動自在に連結し、開脚固定手段によって該最上端の踏板が一平面を成す連結平板となるように、前記一対の梯子体を開脚固定可能な脚立であって、
前記脚立の開脚固定状態において、
上面が前記連結平板を上方から覆い、該上面とその下方に接続する４側面の各端部が各前記一対の梯子体の脚部のそれぞれに当接する、下方が開放された運搬函体と、
前記対向する梯子体の少なくとも一対の前記踏板同士を固定手段により平板状に連結する運搬台と、
を含み、倒立姿勢において運搬可能な脚立。
【請求項７】
脚部が、複数の踏板により平行に連結された一対の梯子体を、最上端の踏板における連結部において回動自在に連結し、開脚固定手段によって該最上端の踏板が一平面を成す連結平板となるように、前記一対の梯子体を開脚固定可能な脚立であって、
前記脚立の開脚固定状態において、
上面が前記連結平板を上方から覆い、該上面とその下方に接続する４側面の各端部が各前記一対の梯子体の脚部のそれぞれに当接する、下方が開放された運搬函体を含み、
前記対向する梯子体の少なくとも一対の前記踏板同士が、該対向する梯子体の中央で折り畳み可能な平板状の運搬台と一体に形成されている、倒立姿勢において運搬可能な脚立。
【請求項８】
前記一対の梯子体の最下部の踏板の組の下部を、折り曲げおよび固定を可能とした請求項１乃至７のいずれか１項に記載の運搬可能な脚立。
【請求項９】
請求項６乃至８のいずれか１項に記載の運搬函体は、前記連結平板の上面および前記４側面の表面に、クッション性不織布を着脱自在に展着した運搬函体。
【請求項１０】
請求項６乃至８のいずれか１項に記載の運搬函体は、該運搬函体の上面の複数個所に車輪を立設自在に収納した運搬函体。
【請求項１１】
請求項６乃至８のいずれか１項に記載の運搬函体は、該運搬函体の上面の複数個所に車輪嵌合用穴部を設けた運搬函体。
【請求項１２】
脚部が複数の踏板により平行に連結された一対の梯子体を、最上端の踏板における連結部において回動自在に連結し、開脚固定手段によって該最上端の踏板が一平面を成す連結平板となるように、前記一対の梯子体を開脚固定可能な脚立本体を準備するステップと、
前記脚立の開脚固定状態において、上面と該上面の下方に接続する４側面から形成される運搬函体の該４側面の各端部が前記一対の梯子体の各脚部に当接するように、該運搬函体を前記連結平板の上方から覆うステップと、
前記一対の梯子体の対向する踏板同士を平板状に連結するように運搬台を固定するステップと、
を含む運搬可能な脚立の製造方法。
【発明の詳細な説明】
【技術分野】
【０００１】
本発明は、脚立に関し、特に通常の脚立をわずかに改良するだけで荷物を運搬可能とした脚立に関する。
【背景技術】
【０００２】
従来の脚立は、脚部が複数の踏板により平行に連結された一対の梯子体を、最上端の踏板における連結部において回動自在に連結し、立脚時に一対の梯子体が開脚しきらないように、両梯子体の脚部または踏板を、連結竿や連結鎖で固定して安定化を図っていた。
【０００３】
脚立は、農家等で果物などの収穫や、ちょっとした高所の修理など屋外で用いられる一方、本棚の整理や高めの棚に置いた花や植木の手入れなど、屋内でも用いられる。この際、収穫済みの果物や、整理済みの本や花等を運搬するための籠や台車・運搬車などが必要であった。
【０００４】
このため台車等を準備すると共に、所定の運搬・整理が終了した際は、使用した台車等および脚立をそれぞれ元の位置に片付ける必要があり、大変煩わしかった。
【０００５】
このため、脚立の下端部に車輪をつけた物や、台車つきの脚立などが考案されている（例えば特許文献１など）。しかし、機構が複雑で組み立てが困難なものや、不安定なもの、補助部品を要する物が多かった。
【０００６】
また、所定の用事が終了し、運搬物が生じると、それまで使用していた脚立を逆さまにし、上記連結部に載置して、脚立の脚部または踏板を引っ張って運搬物を運搬するという荒業も考え得る。しかし、このような方法では、脚立自身を傷つけることとなると共に、屋内で実施すれば床をも痛めつけてしまう。屋外で上記方法を実施するにしても非常に非効率である。
【０００７】
【特許文献１】特開２００３−５６２６６号公報
【特許文献２】特開２００５−１２６９０６号公報
【発明の開示】
【発明が解決しようとする課題】
【０００８】
そこで本発明は、高所での作業を可能とする、本来の使用方法で脚立を使用するのみでなく、特に作業中発生した運搬物の移動にも適した脚立を提供することを目的とする。
【課題を解決するための手段】
【０００９】
本発明の運搬可能な脚立は、脚部が、複数の踏板により平行に連結された一対の梯子体を、最上端の踏板における連結部において回動自在に連結し、開脚固定手段によって該最上端の踏板が一平面を成す連結平板となるように、該一対の梯子体を開脚固定可能な脚立であって、前記連結平板の上面の複数個所に車輪を立設自在に収納してもよい。該複数個所の車輪を立設した状態で、倒立姿勢において車輪を介して本脚立を運搬することができる。
【００１０】
本発明の運搬可能な脚立は、脚部が、複数の踏板により平行に連結された一対の梯子体を、最上端の踏板における連結部において回動自在に連結し、開脚固定手段によって該最上端の踏板が一平面を成す連結平板となるように、該一対の梯子体を開脚固定可能な脚立であって、前記連結平板の上面の複数個所に車輪嵌合用穴部を設け、該複数個所に設けた車輪嵌合用穴部にそれぞれ車輪を嵌合した状態で、倒立姿勢において本脚立を運搬可能としてもよい。
【００１１】
本発明の運搬可能な脚立は、脚部が、複数の踏板により平行に連結された一対の梯子体を、最上端の踏板における連結部において回動自在に連結し、開脚固定手段によって該最上端の踏板が一平面を成す連結平板となるように、該一対の梯子体を開脚固定可能な脚立であって、前記連結平板の上面および該上面から下方に接続する４側面の表面に、クッション性不織布を着脱自在に展着した。本脚立を倒立姿勢とすることにより、クッション性不織布を床に接触させて、床を傷つけることなく本脚立を移動することができる。
【００１２】
本発明の運搬可能な脚立は、前記一対の梯子体の対向する少なくとも１以上の前記踏板同士を、固定手段により平板状に連結する運搬台を含み得る。このように構成すれば、本脚立の倒立状態で、運搬台上に物を載せて運搬することができる。この場合、連結平板が一平面を成すように開脚固定手段は解除してもよい。
【００１３】
本発明の運搬可能な脚立は、前記対向する梯子体の少なくとも一対の前記踏板同士が、該対向する梯子体の中央で折り畳み可能な平板状運搬台と一体に形成されていてもよい（図６，符号４２参照）。上記連結部と共に上記運搬台を折り畳み、本発明の脚立を収納することができる。この場合も、必要であれば開脚固定手段を解除する。
【００１４】
本発明の運搬可能な脚立は、脚部が、複数の踏板により平行に連結された一対の梯子体を、最上端の踏板における連結部において回動自在に連結し、開脚固定手段によって該最上端の踏板が一平面を成す連結平板となるように、前記一対の梯子体を開脚固定可能な脚立であって、前記脚立の開脚固定状態において、上面が前記連結平板を上方から覆い、該上面とその下方に接続する４側面の各端部が各前記一対の梯子体の脚部のそれぞれに当接する、下方が開放された運搬函体（特許文献２、図１を参照）と、前記一対の梯子体の対向する少なくとも一対の前記踏板同士を固定手段により平板状に連結する運搬台と、を含む。このため、倒立姿勢において、運搬台に運搬物を載置することができる。なお、以下、運搬函体および運搬台を取り外した本発明の運搬可能な脚立の部分を「脚立本体」という。
【００１５】
本発明の運搬可能な脚立は、脚部が、複数の踏板により平行に連結された一対の梯子体を、最上端の踏板における連結部において回動自在に連結し、開脚固定手段によって該最上端の踏板が一平面を成す連結平板となるように、前記一対の梯子体を開脚固定可能な脚立であって、前記脚立の開脚固定状態において、上面が前記連結平板を上方から覆い、該上面と下方に接続する４側面の各端部が各前記一対の梯子体の脚部のそれぞれに当接する、下方が開放された運搬函体を含み、前記対向する梯子体の少なくとも一対の前記踏板同士が、該対向する梯子体の中央で折り畳み可能な平板状の運搬台と一体に形成されていてもよい。この場合、本脚立を収納する際、上記連結部とともに運搬台をも折り畳むことができ、運搬台を着脱する必要がなく、本発明の脚立をコンパクトに収納することができる。
【００１６】
本発明の運搬可能な脚立は、前記一対の梯子体の最下部の踏板の組の下部を、折り曲げて固定できるようにしてもよい。これにより、本発明の運搬可能な脚立を手動で移動しやすくすることができる。
【００１７】
本発明の運搬函体は、前記連結平板の上面および前記４側面の表面に、クッション性不織布を着脱自在に展着し得る。このように構成すれば、本発明の脚立を倒立姿勢で運搬する際に、床や周囲の物を傷つける心配を大幅に軽減することができる。
【００１８】
本発明の運搬函体は、該運搬函体の上面の複数個所に車輪を立設自在に収納されていてもよい。前記運搬函体の車輪を立設し、本発明の運搬可能な脚立を倒立姿勢にすることにより、本脚立を運搬車として使用することができる。
【００１９】
本発明の運搬函体は、該運搬函体の上面の複数個所に車輪嵌合用穴部を設けてもよい。別途用意した車輪を、前記車輪嵌合用穴部に勘合させ、本発明の運搬可能な脚立を倒立姿勢にすることにより、本脚立を運搬車として使用することができる。
【００２０】
本発明の運搬可能な脚立の製造方法は、脚部が複数の踏板により平行に連結された一対の梯子体を、最上端の踏板における連結部において回動自在に連結し、開脚固定手段によって該最上端の踏板が一平面を成す連結平板となるように、前記一対の梯子体を開脚固定可能な脚立本体を準備するステップと、前記脚立の開脚固定状態において、上面と該上面の下方に接続する４側面から形成される運搬函体の該４側面各端部が前記一対の梯子体の各脚部に当接するように、該運搬函体を前記連結平板の上方から覆い固定するステップと、前記一対の梯子体の対向する踏板同士を平板状に連結するように運搬台を固定するステップと、を含む。従来の脚立に運搬函体と運搬台を固定することにより、容易に本発明の運搬可能な脚立を製造することができる。
【００２１】
本発明の運搬可能な脚立の使用方法は、図６のように上記運搬可能な脚立を倒立姿勢とし、前記運搬台に載置した荷物を運搬することができる。前記運搬函体に立設させた車輪や展着したクッション性不織布により、脚立の踏板の上部または下部に固定された運搬台に物を載せて、これを運搬することが出来る。
【発明の効果】
【００２２】
本発明に係る運搬可能な脚立は、最上端の踏板が一平面を成す連結平板上面に車輪を立設可能に収納したり、連結平板上に車輪嵌合用穴部を設けて車輪を取付けることにより、その倒立状態で本発明の脚立を容易に運搬することができる。とくに、連結平板上にクッション性不織布を展着させた場合、脚立を運搬中に床や周囲の家具等を、そのクッション性により保護することができる。
【００２３】
さらに、対向する梯子体の少なくとも１対以上の踏板同士に運搬台を連結すれば、当該運搬台上に運搬物を載せて倒立した脚立ごと運搬できるので、別に運搬車を用意する必要もなく便利である。
【００２４】
また、運搬台を対向する梯子体の少なくとも１対以上の踏板同士と一体化し、対向する梯子体の中央で折り畳み可能とすれば、上記連結部と共に脚立を折り畳むことができ、脚立本体に取り外しすることなく、脚立本体と一体化して本発明の脚立を収納することができる。
【００２５】
次に、本発明に係る運搬可能な脚立の別の実施形態は、通常の脚立の上部を運搬函体で覆い固定し、対向する梯子体の一対の踏板同士を運搬台で連結固定している。従って、脚立の開放方向の安定感が増し、安心して高所での作業を行うことが出来る。
【００２６】
本発明の運搬函体は、上面の、例えば４隅に車輪を立設自在に収納し、当該上面から４側面が下方に開放されて形成される。従って、上記車輪を立設して、本発明の脚立を倒立姿勢で用いれば、上記運搬台に荷物を載せて、容易にこれを運搬することが出来る。車輪の替わりに、運搬函体の上面の４隅に車輪嵌合用穴部を設けておき、必要に応じて車輪を嵌合させて用いても、同様の効果を得ることが出来る。
【００２７】
また、本発明の運搬函体は、その上面および４側部表面にクッション性不織布を展着させて用いてもよい。屋内のフローリングや畳に傷をつけることなく運搬を行うことが出来る。
【００２８】
以上のように、本発明に係る運搬可能な脚立は、高所での安定した作業を可能とすると共に、運搬車としての役割をも果たすことが出来るので非常に便利であり、脚立と運搬車を別々に準備する必要もなくなり、収納場所の節約にも寄与することが出来る。
【発明を実施するための最良の形態】
【００２９】
以下、図面を参照しながら本発明に係る運搬可能な脚立の実施形態について説明する。なお、以下各図面を通して同一の構成要素には同一の符号を使用するものとする。
【００３０】
本発明に係る運搬可能な脚立１の実施形態は、図１を参照して、脚部１００が、複数の踏板１０ａ，１０ｂにより平行に連結された一対の梯子体１５０ａ，１５０ｂを、最上端の踏板１０ａ，１０ｂにおける連結部２４において回動自在に連結し、開脚固定手段１４によって該最上端の踏板１０ａ，１０ｂが一平面を成す連結平板１２となるように、上記一対の梯子体１５０ａ，１５０ｂを開脚固定可能な脚立であって、連結平板１２の上面の複数個所に車輪２０を立設自在に収納することができる。なお、連結平板１２は、上記最上端の踏板１０ａ，１０ｂの上面、当該踏板１０ａ，１０ｂの上面から下方に接続する４側面及びその下面を含む形状をいうものとする。
【００３１】
上記のように脚立１の連結平板１２の上面には、図２のように複数個所に車輪収納穴２１を設け、これに車輪２０を立設自在に収納する。この複数個所の車輪２０を、図２のように立設した状態で、脚立１を倒立姿勢において運搬することが出来る。例えば図１のように連結平板１２の上面の４隅に、車輪２０を立設自在に車輪収納穴２１に収納する。
【００３２】
あるいは、図３のように連結平板１２の上面の複数個所に車輪嵌合用穴部２２を設け、当該複数個所に設けた車輪嵌合用穴部２２にそれぞれ車輪２０を嵌合させた状態で、脚立１を倒立姿勢として運搬してもよい。この場合も、例えば連結平板１２の上面の４隅に車輪嵌合用穴部２２を設け、別途用意した車輪２０を運搬時に嵌合させて脚立１を運搬する（図３）。
【００３３】
本発明の運搬可能な脚立１は、通常の脚立同様、アルミニウム等の軽金属で形成され、
図１に示す開脚固定手段１４も従来のように連結竿や連結鎖で形成されてよいが、係る機能を果たすものであれば、特に材料や形状に関しては限定されない。
【００３４】
さらには、連結平板１２の上面およびその上面から下方に接続する４側面の表面に、クッション性不織布５０を着脱自在に展着してもよい。この場合、車輪２０は車輪収納穴２１に収納され、または、車輪嵌合用穴部２２から取り外されている。
【００３５】
クッション性不織布５０は、表面がソフトなウール等からなり、その裏面は、裏面テープ等で着脱自在に形成されている不織布等が好ましく、例えばクッションフェルト（株式会社イントラ製）やインテリアフェルト（北川工業株式会社）などを用いてよいが、特にこれに限定されるわけではなく、クッション性があり、着脱可能な素材であれば使用可能である。
【００３６】
このクッション性不織布５０を、連結平板１２の上面およびその４側面の表面に展着するため、本発明の脚立１は、倒立姿勢においてクッション性不織布が床に接触することとなり、脚立１を引きずって運搬中に当たりやすい家具や壁、フローリングの床などに傷をつけることなく運搬可能となる。又、クッション性不織布５０は着脱自在であるため、汚れや綻びが出始めれば、新しいクッション性不織布５０に取り替えることができる。
【００３７】
逆に、屋外で植樹の手入れをする等、特に接地面に対する傷や汚れなどを気にする必要のない場合は、車輪２０により、容易に脚立１を運搬することができる。
【００３８】
以上のようにして本発明の脚立１を容易に移動することができるが、例えば、脚立１を用いて高所にて作業した結果、運搬するべき物、あるいは運搬したいものが生じる場合が多々ある。この場合、キャスター運搬車や運搬用荷台等を脚立１とは別に用意する必要があるが、これは非常に面倒である。そこで、本実施例の脚立１は、一対の梯子体１５０ａ，１５０ｂの対向する少なくとも１以上の踏板１０ａ，１０ｂ同士を、固定手段により平板状に連結する運搬台４０を設けるのが好適である。
【００３９】
運搬台４０は、例えば図４に示すように、本実施例における固定手段である係止部４５ａ，４５ｂ，および４５ｃ，４５ｄでそれぞれ最上端以外の踏板１０ａ，１０ｂに係止して、運搬台４０を踏板１０ａ，１０ｂの上部または下部に固定する。本発明の脚立１を倒立姿勢とすれば、運搬台４０上に所望の運搬物を載置して、これを脚立１ごと運搬することができる。
【００４０】
あるいは、平板状の運搬台４０は、上記対向する梯子体１５０ａ，１５０ｂの対向する踏板１０ａ，１０ｂ同士を接続し、当該対向する梯子体１５０ａ，１５０ｂの中央で折り畳み可能に一体に形成されていてもよい。脚立１を連結部２４を軸に折り畳む時、運搬台４０もこれと共に折り畳み可能であり、運搬台４０を着脱することなく、脚立１をコンパクトにして収納することができる。
【００４１】
なお、最上端を除く踏板１０ａ，１０ｂの組の数だけ運搬台４０は設置可能であり、荷物の量に応じて好適な数の運搬台４０を設置することが出来る。また、運搬台４０は、上に載せる運搬物の荷重に耐え得るべく、ある程度強度の強い材料で形成するのが好ましい。
【００４２】
次に、図５を参照して、本発明に係る別の実施形態である運搬可能な脚立２および脚立２に取付ける運搬函体３０について説明する。
【００４３】
本発明の運搬可能な脚立２は、脚部１００が、複数の踏板１０により平行に連結された一対の梯子体１５０ａ，１５０ｂを、最上端の踏板１０ａ，１０ｂにおける連結部２４において回動自在に連結し、開脚固定手段１４によって上記最上端の踏板１０ａ，１０ｂが一平面を成す連結平板１２となるように、上記一対の梯子体１５０ａ，１５０ｂを開脚固定可能な脚立である。この部分までは、上記実施形態の脚立１と略同様であり、従来より使用されている脚立と同様である。
【００４４】
当該本実施形態の脚立２は、脚立２の開脚固定状態において、上面３２が前記連結平板１２を上方から覆い、上面３２とその下方に接続する４側面の各端部３４ａ，３４ｂ，３４ｃ，３４ｄが上記一対の梯子体１５０ａ，１５０ｂの脚部１００のそれぞれに当接する、下方が開放された運搬函体３０を更に含む。運搬函体３０は、連結平板１２の上部および側部に、フック等の函体固定手段（図示せず）により固定されるが、この函体固定手段はフックに拘らず、特に限定されない。
【００４５】
また、脚立２は、一対の梯子体１５０ａ，１５０ｂの対向する踏板１０ａ，１０ｂ同士を固定手段１４により平板状に連結する運搬台４０を含むが、当該構成は、上記実施形態における脚立１と同様である。従って、運搬台４０は、上記対向する梯子体１５０ａ，１５０ｂの少なくとも一対の踏板１０ａ，１０ｂ同士が、当該対向する梯子体１５０ａ，１５０ｂの中央で折り畳み可能に平板状となるように運搬台４０と一体に形成されていてもよい。
【００４６】
上記のように、運搬台４０を連結固定等する場合は、開脚固定手段１４は解除されてよく、一対の梯子体１５０ａ，１５０ｂの対向する踏板１０ａ，１０ｂを連結する運搬台４０の長さが連結平板１２を平面状とするように、運搬台４０の長さを調節すればよい。
【００４７】
さらに、上記脚立２は、例えば上記実施形態と同様に、対向する梯子体１５０ａ，１５０ｂの一対の対向する踏板１０ａ，１０ｂ同士を、その下部または上部から運搬台４０の固定手段である、例えば係止部４５ａ，４５ｂ，および４５ｃ，４５ｄでそれぞれ係止するため、梯子体１５０ａ，１５０ｂの成す角はこの固定手段の長さにより規制される。従って運搬函体３０の４側面が運搬函体３０の上面３２と成す角も自ずと規制されることとなる。
【００４８】
逆に、開脚固定手段１４である連結竿、連結鎖等を通常の脚立同様機能させた場合は、梯子体１５０ａ，１５０ｂの成す角はこれら連結竿または連結鎖の長さにより規制されることとなる。従って運搬函体３０の側面が運搬函体３０の上面３２と成す角もこれにより規制され、運搬台４０の長さも同様に規制されることとなる。
【００４９】
すなわち、上記規制に従って形成された運搬函体３０が脚立２の連結部２４に嵌合・固定させられ、開脚固定手段１４である連結竿または連結鎖の長さにより規制された寸法に調節された運搬台４０が一対の踏板１０ａ，１０ｂの上部または下部から両者１０ａ，１０ｂを固定する。
【００５０】
なお、脚立２が有する踏板１０ａ，１０ｂの組（対）の数は、脚立１と同様、最上面の踏板１０ａ，１０ｂを含めて２以上であり、その数は特に限定されない。したがって運搬台４０も１以上かつ、最上面の踏板１０ａ，１０ｂを除いた踏板１０の組の数以下であれば、特にその数は限定されない。
【００５１】
また、本明細書においては簡単のため、特に区別の必要ない場合には、梯子体１５０ａ，１５０ｂを梯子体１５０と、最上端の踏板１０ａ、１０ｂを踏板１０と、運搬函体３０の側面同士を接続する４辺３４ａ，３４ｂ，３４ｃ，３４ｄを辺３４と、まとめて記すこととする。
【００５２】
上記実施形態の脚立１、脚立２は、その構成は略同様であるが、組み立て式の脚立２は、独立した部品である運搬函体３０を通常の脚立に取付け得るという特徴がある。ただし、運搬台４０の寸法および取付ける脚立との寸法の調整は必要である。
【００５３】
運搬函体３０は、上面３２の例えば４隅に車輪２０を立設自在に収納し、上面３２からその４側面が下方に開放されて形成されていてよい。車輪２０を図２のように立設させて、脚立２を倒立姿勢で用いれば、運搬台４０上に所望の運搬物を載置して、この載置物の運搬に寄与することが出来る。
【００５４】
あるいは、運搬函体３０は、上面の例えば４隅に、図３のように車輪嵌合用穴部２２を設け、上面３２から４側面が下方に開放されて形成されていてもよい。脚立２を物の運搬に供するときは、上記車輪嵌合用穴部２２に予め付帯した車輪２０を嵌合させ、脚立２を倒立姿勢とすればよい。上記実施形態と同様、運搬台４０上に所望の運搬物を載置して、これを運搬することが出来る。
【００５５】
さらには、運搬函体３０は、上面３２から４側面が下方に開放されて形成され、上面３２および上記４側部表面にクッション性不織布５０が展着されていてもよい。脚立２を倒立姿勢とし、運搬台４０上に所望の運搬物を載置して、上記実施形態と異なり、脚立２を床や畳上に引きずって運搬を行う。
【００５６】
特にクッション性不織布５０が展着された運搬可能な脚立２は、上記のように屋内において特に用いられる。屋内には畳やフローリングが使用されている場合が多く、上記実施形態のように車輪２０を介して物を運搬すると、これら床材料を痛めやすい。その点運搬を担う、床との接触材料をクッション性不織布５０とすれば、床材料を傷つけにくく、脚立２を床上に引きずって運搬を行うことが可能となる。
【００５７】
以上のように、本発明に係る運搬可能な脚立２は、用途や使用場所に応じて使用する運搬函体３０の種類を変え、倒立姿勢にして運搬の用に供することが出来る。
【００５８】
なお、最上端を除く踏板１０ａ，１０ｂの組の数だけ運搬台４０は設置可能であり、荷物の量に応じて好適な数の運搬台４０を設置することが出来る。
【００５９】
以上、上述したような本発明に係る運搬可能な脚立２は、おおよそ次のように製造することが出来る。すなわち、
１）脚部１００が複数の踏板１０により平行に連結された一対の梯子体１５０ａ，１５０ｂを、最上端の踏板１０ａ，１０ｂにおける連結部２４において回動自在に連結し、開脚固定手段１４によって該最上端の踏板１０ａ，１０ｂが一平面を成す連結平板１２となるように、前記一対の梯子体１５０ａ，１５０ｂを開脚固定可能な脚立本体を準備するステップ
２）脚立の開脚固定状態において、上面とその上面の下方に接続する４側面から形成される運搬函体３０の該４側面の各端部が上記一対の梯子体１５０ａ，１５０ｂの各脚部１００に当接するように、運搬函体３０を連結平板１２の上方から覆い、固定するステップ
３）一対の梯子体１５０ａ，１５０ｂの対向する踏板同士１０ａ，１０ｂを平板状に連結するように運搬台４０を固定するステップ
を含んで形成される。
【００６０】
上記のように、踏板の組１０ａ，１０ｂの数は特に制限がなく、その数をｎとすると、最上端の踏板１０ａ，１０ｂを除いたｎ−１個までの運搬台４０の設置が可能である。
【００６１】
また、運搬台４０の材料は特に限定されず、運搬物を支えきれる材料であれば何であっても構わない。
【００６２】
以上、本発明に係る運搬可能な脚立１、脚立２の実施形態について説明したが、本発明は以上の実施形態に限定されるものではない。例えば、運搬用に脚立１、脚立２を倒立状態で用いる際、運搬を容易にする取っ手を用意するために、脚部１００の下端付近が図６のように折れ曲がり可能としてもよい。折れ曲がり部分を手で握って脚立２を押す、あるいは引くことによって、より容易に荷物を運搬することが出来る。
【００６３】
また、運搬台４０は、上記実施形態と異なり、予め運搬台４０の１辺を踏板１０ａまたは踏板１０ｂの下部に沿って回動自在に装着しておき、必要に応じて他方の踏板１０ｂまたは踏板１０ａに連結し、ホックなどを用いて固定できるようにしてもよい。このようにすれば、脚立２本体に運搬台４０を装着したまま直接脚立２を収納することが出来、両者を別々に保管する煩雑さを解消することが出来る。
【００６４】
さらに、本発明の運搬可能な脚立１、脚立２の梯子体１５０ａまたは１５０ｂの最上端の踏板１０ａまたは１０ｂの上面には、安全のために取っ手を着脱自在に取り付けてもよい。図７のように、最上端の踏板１０ａまたは１０ｂの上面には、取っ手６０を勘合するための取っ手用穴６２を設け、必要に応じて取っ手６０を勘合させる。
【００６５】
取っ手６０は、図８のように６０ａと６０ｂを嵌合させて形成される。取っ手６０は、取っ手片６０ａと６０ｂの嵌合のさせ方により、長さを自由に調節することが出来る。従って、脚立１、脚立２を倒立姿勢にして運搬する場合には、取っ手６０を取り外して運搬台４０に載せて運搬してもよいが、梯子体１５０ａまたは１５０ｂの好適な位置に形成した運搬用取っ手穴６４に、取っ手６０の長さを調節して図９のように嵌合させ、脚立１、脚立２の運搬の用に供してもよい。
【００６６】
その他、本発明は、その主旨を逸脱しない範囲で当業者の知識に基づき種々の改良、修正、変更を加えた態様で実施できるものである。
【産業上の利用可能性】
【００６７】
本発明に係る運搬可能な脚立２は、高所における物の処理、ならびに、物の運搬に利用することが出来る。
【図面の簡単な説明】
【００６８】
【図１】本発明に係る運搬可能な脚立１の分解斜視図。
【図２】車輪嵌合用穴部より車輪を立設した状態を示す部分斜視図。
【図３】車輪収納穴に車輪を嵌合させる状態を示す部分斜視図。
【図４】運搬台の一例を表す斜視図。
【図５】本発明に係る運搬可能な脚立２の分解斜視図。
【図６】倒立状態で使用中の本発明に係る運搬可能な脚立２の１例を示す斜視図。
【図７】本発明に係る運搬可能な脚立の上端部に形成した取っ手穴と、これに嵌合する取っ手を示す斜視図。
【図８】本発明に係る運搬可能な脚立の上端部に取り付ける取っ手の分解図。
【図９】本発明に係る運搬可能な脚立に形成した取っ手穴に、取っ手を勘合させた場合の、本発明の脚立の倒立姿勢を表す図。
【符号の説明】
【００６９】
１：本発明に係る運搬可能な脚立の本体
２：本発明に係る組立て式の運搬可能な脚立
１０：踏板 
１２：連結平板
１４：開脚固定手段（連結竿、連結鎖など）
２０：車輪
２１：車輪収納穴
２２：車輪嵌合用穴部
２４：連結部
３０：運搬函体
３２：運搬函体上面
３４：運搬函体の側面の成す交線
４０：運搬台
４２：折り畳み線
４５：係止部
５０：クッション性不織布
６０：取っ手
６２：取っ手穴
６４：運搬用取っ手穴
１００：脚部
１５０：梯子体
【図１】
2010084453.tif 000003
【図２】
2010084453.tif 000004
【図３】
2010084453.tif 000005
【図４】
2010084453.tif 000006
【図５】
2010084453.tif 000007
【図６】
2010084453.tif 000008
【図７】
2010084453.tif 000009
【図８】
2010084453.tif 000010
【図９】
2010084453.tif 000011